(57)【要約】      （修正有）【課題】勉強机や事務机の上で必要とする事務用品や筆記用品を立てて収納出来る収納箱を作りその箱の上部を利用し本が立てられる収納箱付卓上書見台を提供する。【解決手段】収納箱の両横の側板を上にのばしこの板を本がもたせかけられるよう後へななめにし、このななめになった両側板を板でつなぎ本をもたせかけられる所とし、この板の上部にせまい板を取りつけ持ち運び用取手を設ける。本をもたせかけられるようにしたつなぎ板に多目的利用のため姿見を設置し正面横に温度計を設置し正面の下の方に指が二本入るほどの穴をあけ書見台を必要に応じた場所に移動させやすくする。【選択図】図１
0003144651.tif 000002
【実用新案登録請求の範囲】
【請求項１】
勉強机や事務机の上で必要とする事務用品や筆記用品を立てて収納出来る収納箱を作り、その箱の上部を利用し本が立てられるようにしたことを特長とした収納箱付卓上書見台
【請求項２】
収納箱の両横の側板を上にのばしこの板を本がもたらせられるよう後へななめにしこのななめになった両側板を板でつなぎ本をもたらせられるところとし、このうらの上部に同じようにせまい板を取りつけ持ち運びの取手としたことを特長とした収納付卓上書見台
【請求項３】
本をもたらせられるようにしたつなぎ板に多目的利用のためカガミを設置し正面横に温度計を設置正面の下の方に指が二本入るほどの穴をあけ書見台を必要に応じた場所に移動させやすくしたことを特長とした収納付卓上書見台
【請求項４】
書見台にのせた本がとじてしまいそうな時のため請求項２にしるした持ち運び用の取手にゴムに取りつけたクリップを２ケ取りつけることを特長とした収納箱付卓上書見台。
【請求項５】
収納箱付卓上書見台の向って右横に浅い小物入れを設置したことを特長とした卓上書見台。
【考案の詳細な説明】
【技術分野】
【０００１】  本考案は机の上で使う沢山の事務用品を立てて入れられる収納箱を作り、この収納箱を台としてこの箱の上に本や書類を立てて見られるようにし肩こり防止を計った収納箱付卓上書見台としたものである。
【背景技術】
【０００２】  勉強したり事務をしたりする時本や書類は左側に置き重い頭は下を向き頭は左右に動かす運動が長くつづいている。この姿勢が肩こりの原因と考へた。
【考案の開示】
【考案が解決しようとする課題】
【０００３】  沢山の事務用品を一ケ所に立てて収納出来る立体的な収納箱を作りこの収納箱の上に本や書類が立てられるようにし重い首が下ばかり向いていることをさけ頭の動きを上下にすることを考へた。
【課題を解決するための手段】
【０００４】  机の上で必要とする事務用品や小物を立てて立体的に収納出来る収納箱を作りその上部の高さがちょうど頭を上げた時の目線の高さに良いのでこの収納箱の上を利用して本が立てられるようにした。【０００５】  鏡を取りつけたことでいそがしい朝など鏡台の変りにもなりテレビを見ながらどこででも化粧が出来便利に利用できた。暑い日寒い日など温度計を見るとほっとする。
【考案の効果】
【０００６】  上述したように本考案は頭を下げたまま同じ姿勢で勉強や事務をするのではなく、書く時は下を向いても本を見る時は頭を上げて上を見ることで学生に多い肩こりが減ると考へた。【０００７】  沢山の必要品を立体的にコンパクトにまとめることが出来机の上のスペースを広くした。筆記用具やハサミ  ホチキスなど取り出しやすく便利になった。ケシゴムやクリップなど小さいものは４に入れ取り出しやすい。
【考案を実施するための最良の形態】
【０００８】  １２の穴をあけた事で必要の時は指を入れ引っぱりいらなくなった時は押してふちにやり前面に筆記用具を入れ後には目につかないようハサミ  ホチキスなどを入れる【０００９】  カガミを取りつけた板のうら側に取りつけた持ち運び用の板６にゴムに取りつけたクリップ７を取りつけたことで新しい本など開いておくのがむづかしい時本が閉じるのをはさんで図２のように使用する。又５の板と６の板の間にものさし、造花をかざり緑や花を目にするようにした【００１０】  長時間の勉強や事務の仕事はどうしてもポーカーフェイスになってしまう。時々カガミを見て自分らしさの顔にもどすことも大切と思った。毎日使う身のまわりに必要な品がなくなることなく収納出来たことでさがし物の時間が減った。
【実施例】
【００１１】  以下添付図面に従って一実施例を説明する  図１は全体図。図２は本をのせクリップで止めて本が閉じるのを防いでいる所  図３は後から見た図
【図面の簡単な説明】
【００１２】
【図１】は全体図
【図２】は収納箱の上に本をのせ本が閉じないようクリップで止めた図
【図３】は横後から見た図
【符号の説明】
【００１３】１    書見台の横の側板
２    書見台の前板
３    本がずり落ちないためのストッパー
４    ケシゴム・クリップなどの小物入れ。ケイタイ・テレビのチャンネルのせ。
５    両側板をつないで設置した板  本をのせる所。カガミを取つけた板
６    両側板を上部でつないだ巾のせまい板  持ち運びの取手、モノサシさし、クリップ取付
７    新しい本の時閉じないようにはさむクッツプ
８    クリップをつなぐゴム
９    筆記用具
１０  モノサシ
１１  造花
１２  書見台が必要な時指を入れて引っぱるための穴
１３  温度計
１４  収納箱の上に作った書見台に本をのせ開いた本
１５  ハサミ
１６  虫眼鏡
１７  カガミ
【図１】
0003144651.tif 000003
【図２】
0003144651.tif 000004
【図３】
0003144651.tif 000005
【手続補正書】
【提出日】平成20年3月21日(2008.3.21)
【手続補正１】
【補正対象書類名】実用新案登録請求の範囲
【補正対象項目名】全文
【補正方法】変更
【補正の内容】
【実用新案登録請求の範囲】
【請求項１】
勉強机や事務机の上で必要とする事務用品や筆記用品を立てて収納出来る収納箱を作りその箱の上部を利用し本が立てられるようにしたことを特長とした収納箱付卓上書見台。
【請求項２】
収納箱の両横の側板を上にのばし、この板を本がもたせかけられるよう後へななめにし、このななめになった両側板を板でつなぎ本をもたせかけられるところとしこのうらの上部にせまい板を取りつけ持ち運び取手としたことを特長とした請求項１記載の収納箱付卓上書見台。
【請求項３】
本をもたせかけられるようにしたつなぎ板に多目的利用のためカガミを設置し正面横に温度計を設置正面の下の方に指が二本入るほどの穴をあけ書見台を必要に応じた場所に移動させやすくしたことを特長とした請求項１記載の収納箱付卓上書見台。
【請求項４】
書見台にのせた本がとしでしまいそうな時のため請求項２に記載の持ち運び用の取手にゴムに取りつけたクリップを２ヶ取りつけることを特長とした請求項１に記載の収納箱付卓上書見台。
【請求項５】
収納箱付卓上書見台の向って右横に浅い小物入れを設置したことを特長とした請求項１記載の収納箱付卓上書見台。
【手続補正書】
【提出日】平成20年6月3日(2008.6.3)
【手続補正１】
【補正対象書類名】実用新案登録請求の範囲
【補正対象項目名】全文
【補正方法】変更
【補正の内容】
【実用新案登録請求の範囲】
【請求項１】
勉強机や事務机の上で必要とする事務用品や筆記用品を立てて収納出来る収納箱を作りその箱の上部を利用し本が立てられるようにしたことを特長とした収納箱付卓上書見台。
【請求項２】
収納箱の両横の側板を上にのばしこの板を本がもたせかけられるよう後へななめにし、このななめになった両側板を板でつなぎ本をもたせかけられる所とし、この板の上部にせまい板を取りつけ持ち運び用取手としたことを特長とした請求項１記載の収納箱付卓上書見台。
【請求項３】
本をもたせかけられるようにしたつなぎ板に多目的利用のため鏡見を設置し正面横に温度計を設置し正面の下の方に指が二本入るほどの穴をあけ書見台を必要に応じた場所に移動させやすくしたことを特長とした請求項１記載の収納箱付卓上書見台。
【請求項４】
書見台にのせた本がとじてしまいそうな時のために持ち運び用の取手にゴムを取りつけたクリップを２ケ取りつけることを特長とした請求項２に記載の収納箱付卓上書見台。
【請求項５】
収納箱付卓上書見台の向って右横に浅い小物入れを設置したことを特長とした請求項１記載の収納箱付卓上書見台。